(57)【要約】【課題】本発明は、指をトリガーの回動に合わせて弧状に動かす必要は全く無く操作が楽であり、且つトリガーが外部に突出するようなことがないトリガースプレーを提供すること。【解決手段】トリガー４１を回動移動させることによりピストン２を押し下げて容器Ｙに通じるシリンダー１１内の液体をピストン２の中を通してノズル口２１Ｎより噴射させるトリガースプレーＸであって、トリガー４１の回動移動はカム機構により行うものと、トリガー４１の先端４１Ａに接するスライダー３を水平移動することにより行うもので有るトリガースプレーＸ。【選択図】図３
2008081123.tif 000002
【特許請求の範囲】
【請求項１】
トリガーを回動移動させることによりピストンを押し下げて容器に通じるシリンダー内の液体をピストンの中を通してノズル口より噴射させるトリガースプレーであって、
トリガーの回動移動はカム機構により行うものであることを特徴とするトリガースプレー。
【請求項２】
トリガーを回動移動させることによりピストンを押し下げて容器に通じるシリンダー内の液体をピストンの中を通してノズル口より噴射させるトリガースプレーであって、
トリガーの回動移動はトリガーの先端に接するスライダーを水平移動することにより行うものであることを特徴とするトリガースプレー。
【請求項３】
トリガーを回動移動させることによりピストンを押し下げて容器に通じるシリンダー内の液体をピストンの中を通してノズル口より噴射させるトリガースプレーであって、
シリンダーを有するベース体と、該ベース体に沿って移動可能なスライダーと、該ベース体に取り付けられたトリガーとを備え、ベース体は容器に取り付けられており、スライダーを水平移動させることによりトリガーを回動移動させるものであることを特徴とするトリガースプレー。
【請求項４】
スライダーの壁面にトリガーの自由端が案内されて移動するものであることを特徴とする請求項１記載のトリガースプレー。
【請求項５】
スライダーは、指を当てる指当て部と突起部を有し該突起部がベース体に形成されたスリットに装着されそれに沿って移動するものであることを特徴とする請求項１記載のトリガースプレー。
【請求項６】
指当て部の裏側の垂直の壁面に形成された一対のレールにトリガーの自由端が接して移動するものであることを特徴とする請求項１記載のトリガースプレー。
【請求項７】
ベース体に該ベース体、スライダー、トリガー、ピストンを覆うハウジングが取り付けられていること特徴とする請求項１記載のトリガースプレー。
【請求項８】
ハウジングには、ノズルを露出させるための通孔及びスライダーを露出するための切り欠き部を有し、該切り欠き部は指当て部の水平移動を許す範囲で形成されていることを特徴とする請求項１記載のトリガースプレー。
【請求項９】
ハウジングの全体を覆うようにカバー体が着脱自在に取り付けられていることを特徴とする請求項１記載のトリガースプレー。
【請求項１０】
トリガーはベース体に取り付けられた支持柱と該支持柱にヒンジ部を介して回動自在に一体に結合されたトリガーよりなり、ヒンジ部より前方でピストンを押し下げるものであることを特徴とする請求項１記載のトリガースプレー。
【請求項１１】
上記請求項１〜１０のいずれか１項に記載のトリガースプレーを備えたスプレー容器。
【発明の詳細な説明】
【技術分野】
【０００１】
本発明は、トリガーを回動移動させることによりピストンを押し下げて容器に通じるシリンダー内の液体をノズルより噴射させるトリガースプレーに関するものである。
【背景技術】
【０００２】
従来、薬剤等の液体を吹き付けるためにスプレー容器が使用されている。
スプレー容器に取り付けられた吹き付け機構であるポンプディスペンサには、  例えばトリガースプレーが使用されている。
これは、ベース体に対して翼片状のトリガーを回動自在に取り付け、該トリガーを引くことによりポンプ（シリンダ及びピストンよりなる）を作動させ、その圧縮力によりノズルから容器内の液体を外に噴射させる方式のものである。
【０００３】
図１０及び図１１は、その従来の主なるトリガースプレーの一例を具体的に示したものであり、図１０は構成を示す断面図、図１１は外観図である。
トリガースプレーＸ１は、ベース体１０１に対してトリガー１０２を回動可能に枢着し、該トリガー１０２を引くことによりベース体１０１の一部であるシリンダー部１１３内の液体をピストン１０４により圧縮してノズル１０６から容器内の液体を外に噴射させることができる構造である。
【０００４】
すなわち、トリガースプレーＸ１は、容器本体の口部Ｙ１に取り付けられた口キャップ１０７と、該口キャップ１０７に支持固定されたベース体１０１とベース体１０１の一部である第１バルブケース部１１１に装着されたチューブ１１０と、第１バルブケース部１１１に内挿された１次バルブ１０８と、ベース体１０１に嵌め込まれたカバー１０５及びノズル１０６と、ベース体１０１の一部であるシリンダー部１１３内を摺動するピストン１０４と、該ピストン１０４を押圧するためにベース体１０１に取り付けられたトリガー１０２と、該トリガー１０２をベース体１０１に弾圧支持するためのバネ体１０３と、前記ノズル１０６とベース体１０１との間に装着された２次バルブ１０９とを備える。
【０００５】
このトリガースプレーＸ１により、液体を噴射するためには、図１２に示すように、容器本体の口部付近に親指と人差し指の間を当て他の指をトリガー１０２に掛けて、強くトリガー１０２を引き込む。
引き込まれたトリガー１０２は、ベース体の支軸部１１８を支点として回動しピストン１０４を押圧する。
ピストン１０４は、押圧されてシリンダー内を摺動し充填されている液体を圧縮する。
圧縮圧を受けた液体は、第２バルブケース部１１２を通ってノズル先端より外に噴射される。
【０００６】
以上示したトリガースプレーＸ１は、ピストンが水平移動式のものであるが、上下移動式のものも上市されている（特許文献１）。
いずれにしろ、このような構造のトリガースプレーは、トリガーに直接指を当てて引き込み操作を行うものである点で共通している。
しかしトリガー自体は回動して弧状の軌跡を描くことから、指も同様に弧状に動かす必要があり人間工学的に見て必ずしも好適ではない。
まして指やトリガーが濡れている場合等には指とトリガー表面との間に滑りが生じて力の伝達が悪い。
他方、このような構造のトリガースプレーにおいては、キャップから上の部分でトリガー以外はカバーに覆われているが、下方は開放された状態となっている。
【０００７】
そのため、トリガースプレーをスプレー用の容器に取り付けた状態では、キャップは露出し、容器の口部のまわりにはトリガーが翼状に大きく突出して位置する状態となる。
このような構造のものでは、トリガーに不用意に他部材に接触し易く回動する場合がある。
また、口キャップ１０７とトリガー１０２との間にものが挟まったりすることがある。
【０００８】
更に、化粧液等を顔面に吹き付ける場合のように、使用者に向かって噴射する際、図１２に示すように、通常の握り方（容器の口部付近を親指と人差し指の間で挟みトリガーを親指以外の指で握る方法）で握って手首を返した状態で噴射する操作方法があるが、この方法では手首が窮屈となり噴射角度の自由度が少なく限られてしまう。
【０００９】
また、他の方法として、親指をトリガー１０２に当てて、親指以外の指で容器の口部付近を掴み、親指を引きながら顔面に向かって噴射する操作方法があるが、この方法ではトリガースプレーＸ１を掴んだ場合の把持安定性が極めて悪い。
また、ノズル付近やトリガー１０２が突出しているため、化粧用として使用する場合、顔面に当たると危険である。
更にまた、化粧用として使用する場合、従来の殺菌や消臭用のトリガースプレーのイメージが残り、使用者側に違和感がある。
【特許文献１】特開２００３−１６４７７９号公報
【発明の開示】
【発明が解決しようとする課題】
【００１０】
本発明はかかる実状を背景に、上記の問題点を克服することを意図したものである。
すなわち、本発明は、指をトリガーの回動に合わせて弧状に動かす必要は全く無く操作が楽であり、且つトリガーが外部に突出するようなことがないトリガースプレーを提供することである。
【課題を解決するための手段】
【００１１】
かくして、本発明者は、このような課題背景に対して、鋭意研究を重ねた結果、トリガーをスライダーという別の部品を介してカム機構により動かすことにより、指の操作が極めて簡単になることを見出し、この知見に基づいて本発明を完成させたものである。
【００１２】
即ち、本発明は、（１）、トリガーを回動移動させることによりピストンを押し下げて容器に通じるシリンダー内の液体をピストンの中を通してノズル口より噴射させるトリガースプレーであって、トリガーの回動移動はカム機構により行うものであるトリガースプレーに存する。
【００１３】
また、本発明は、（２）、トリガーを回動移動させることによりピストンを押し下げて容器に通じるシリンダー内の液体をピストンの中を通してノズル口より噴射させるトリガースプレーであって、トリガーの回動移動はトリガーの先端に接するスライダーを水平移動することにより行うものであるトリガースプレーに存する。
【００１４】
また、本発明は、（３）、トリガーを回動移動させることによりピストンを押し下げて容器に通じるシリンダー内の液体をピストンの中を通してノズル口より噴射させるトリガースプレーであって、シリンダーを有するベース体と、該ベース体に沿って移動可能なスライダーと、該ベース体に取り付けられたトリガーとを備え、ベース体は容器に取り付けられており、スライダーを水平移動させることによりトリガーを回動移動させるものであるトリガースプレーに存する。
【００１５】
また、本発明は、（４）、スライダーの壁面にトリガーの自由端が案内されて移動するものである上記（１）記載のトリガースプレーに存する。
【００１６】
また、本発明は、（５）、スライダーは、指を当てる指当て部と突起部を有し該突起部がベース体に形成されたスリットに装着されそれに沿って移動するものである上記（１）記載のトリガースプレーに存する。
【００１７】
また、本発明は、（６）、指当て部の裏側の垂直の壁面に形成された一対のレールにトリガーの自由端が接して移動するものである上記（１）記載のトリガースプレーに存する。
【００１８】
また、本発明は、（７）、ベース体に該ベース体、スライダー、トリガー、ピストンを覆うハウジングが取り付けられている上記（１）記載のトリガースプレーに存する。
【００１９】
また、本発明は、（８）、ハウジングには、ノズルを露出させるための通孔及びスライダーを露出するための切り欠き部を有し、該切り欠き部は指当て部の水平移動を許す範囲で形成されている上記（１）記載のトリガースプレーに存する。
【００２０】
また、本発明は、（９）、ハウジングの全体を覆うようにカバー体が着脱自在に取り付けられている上記（１）記載のトリガースプレーに存する。
【００２１】
また、本発明は、（１０）、トリガーはベース体に取り付けられた支持柱と該支持柱にヒンジ部を介して回動自在に一体に結合されたトリガーよりなり、ヒンジ部より前方でピストンを押し下げるものである上記（１）記載のトリガースプレーに存する。
【００２２】
また、本発明は、（１１）、上記（１）〜（１０）のいずれか１項に記載のトリガースプレーを備えたスプレー容器に存する。
【００２３】
本発明はこの目的に沿ったものであれば、上記１〜１０の中から選ばれた２つ以上を組み合わせた構成も当然採用可能であり、そのようなトリガーを備えたトリガースプレーを有するスプレー容器も同様に採用可能である。
【発明の効果】
【００２４】
本発明のトリガースプレーは、トリガーの回動移動はカム機構により行うものであり、スライダーを水平移動することによりトリガーが回動移動するものである。
そのため、従来のように、指の動きは直線状となりトリガーの運動に合わせて弧状に動かす必要が無く、操作が簡単で楽である。
またトリガーは外部に突出しないため引っ掛けることが無く安全である。結果的に化粧品等に好適なものとなる。
またトリガーに不要な力が加わりにくく、緩みによる液漏れや、また顔面に当たった場合の危険性がない。
使用者側に向かって把持した場合の把持安定性があり、またノズルの位置決めが簡単である。
【発明を実施するための最良の形態】
【００２５】
〔第１の実施の形態〕
本発明の原理を図１の模式図に示す。
図からわかるように、本発明のトリガースプレーＸは、トリガー部材４を回動移動させることにより、それに連結されたピストン２を押し下げて（すなわち垂直移動させて）図示しない容器に通じるシリンダー１１内の液体をピストン２の中を通してノズル口より噴射させる構造であり、トリガー部材４の回動移動はスライダー３を介したカム機構により行うものである。
【００２６】
このカム機構は、トリガー部材４の自由端がスライダー３の壁面に接して移動する構造であり、このことによりトリガー部材４が回動し、それに連結されているピストン２が移動する。
【００２７】
以下、本発明のトリガースプレーＸの具体例を挙げて全体構造について説明する。
図２は、本発明のトリガースプレーＸが取り付けられた液体容器Ｙを示す外観図であり、（Ａ）はキャップ６を外す前、（Ｂ）はキャップ６を外した後、をそれぞれ示す。
【００２８】
図３は、本発明のトリガースプレーの内部構造を説明する図であり、（Ａ）は正面図（キャップ６を取り外した状態）、（Ｂ）は側面図、（Ｃ）は平面図を示す。
【００２９】
トリガースプレーＸとしては、ベース体１、スライダー３、トリガー４１、ハウジング５、キャップ６等の部品を有する。
ベース体１は平面部１４と外周壁１３とよりなる筒蓋状をしており、その平面部１４の中央付近にシリンダー１１が下方に突出するように設けられており、外周壁１３は容器Ｙの外面に嵌り込むようになっている。
【００３０】
また平面部１４にはシリンダー１１の周囲から下方に向けて複数の係止片１２が突設されている。
この係止片１２が容器Ｙの口部に外側から嵌り込むことで、ベース体１と容器Ｙとは一体に固定される。
一旦、嵌り込むと外れない構造、すなわち、はめ殺し構造とすることが好ましい。
【００３１】
シリンダー１１にはスプリング、第一バルブＶ１、第二バルブＶ２が配設されており、いわゆる公知の蓄圧バルブ構造となっている。
またベース体１の平面部１４には後述するスライダー３を案内するためのスリット１５が形成されている。
【００３２】
シリンダー１１内を摺動するピストン２は、前方に直角に曲がってノズル部２１を形成しており、その先端がノズル口２１Ｎとなっている。
シリンダー１１内の液は圧力が加わることでピストン２の中を通過してノズル口２１Ｎより外部に噴射される。
【００３３】
スライダー３は、Ｕ字状に曲げられた板材よりなり、指当て部３１と突起部３２とを有し該突起部３２はベース体１の平面部１４に形成されたスリット１５に装着されている。
そのためスライダー３は、ベース体１に沿って安定して水平移動することができる。
なお、スライダー３の形状は、垂直な壁面３１Ａを有し且つベース体１に沿って移動できる形状であれば自由である。
【００３４】
図４は、スライダー３とベース体１及びトリガー４１の取り付け関係を説明する図である。
指当て部３１の裏側の垂直の壁面３１Ａには一対のレール３１Ａ１が形成されており、後述するトリガー４１の自由端４１Ａがこのレール３１Ａ１に沿って上下移動する。
【００３５】
トリガー部材４は、ベース体１に取り付けられた支持柱４２と該支持柱にヒンジ部４３を介して回動自在に一体に結合されたトリガー４１よりなる。
このトリガー４１の先端４１Ａ（自由端４１Ａ）は前述したスライダー３の指当て部３１の裏側にある垂直な壁面３１Ａに接して移動する。
【００３６】
この場合、垂直な壁面３１Ａがカム面となり、他方のトリガー４１の先端４１Ａ（自由端４１Ａ）がホロワーとなり両者がカム機構として機能する。
この場合、トリガー４１の自由端４１Ａは曲面に形成されており、前述の垂直な壁面３１Ａのレール３１Ａ１に対して２点で接することとなる。
【００３７】
ハウジング５は、ベース体１、シリンダー１１、ピストン２、スライダー３、トリガー部材４等を覆うように下方が開口した箱形に形成されている。
この場合、上面視では、図のような楕円状の他、矩形状、長円状に形成することも可能である。
【００３８】
ハウジング５には、スライダー３に指を当てトリガースプレーＸを引き込んだ場合、支障がないように、スライダー３の指当て部３１の水平移動を許す範囲で切り欠き部５１が形成されており、この切り欠き部５１により引き込み中の指を逃がすことができる。
【００３９】
またハウジング５には、切り欠き部５１より上部にはノズル口２１Ｎを露出するように液噴射のための通孔５２が形成されている。
【００４０】
一方、ハウジング５に添うように着脱自在にキャップ６が備わっている。
キャップ６はトリガースプレーＸを使用しない場合に装着しておくもので、取り付けた状態では、通孔５２や切り欠き部５１も覆われて外からは見えない。
当然、スライダー３を作動することは不可能である。
キャップ６を装着した状態では、容器Ｙの周囲と面一となるようになっており、全体として図２に示したような上面視で楕円状のシンプルな形となる。
従って、ハンドバッグやポケットに無造作に入れておいても引っ掛かることもなく且つ安全でもある。
【００４１】
さて、このような構造のトリガースプレーＸにおいて、ノズルから容器本体内の液体を噴射させる手順を次に述べる。
まず、使用可能とするためハウジング５からキャップ６を取り外す（図２参照）。
【００４２】
この状態では、ハウジング５に形成された切り欠き部５１からスライダー３が露出し、またノズル部２１も通孔５２から露出する。
【００４３】
次にシリンダー１１内に液体が充填されている状態（初期状態）でトリガースプレーＸを握り、スライダー３の指当て部３１に指を当てて引き込む操作を行う。
すると、スライダー３は水平移動を開始し図でいう右方向に移動する。
この時、指当て部３１の裏側の垂直な壁面３１Ａに接しているトリガー４１の自由端４１Ａは壁面３１Ａに沿って下方に移動する。
【００４４】
図５は、スライダー３の指当て部３１とトリガー４１の先端との関係を説明する図である。
スライダー３が水平移動するとトリガー４１は回動移動する［図５の（Ａ）→（Ｂ）→（Ｃ）］。
すなわち、カム機構［指当て部３１の裏側の垂直な壁面３１Ａがカム面となり、トリガー４１の先端４１Ａ（自由端４１Ａ）は、ホロワーとなる］によりスライダー３からトリガー４１に力が伝達され水平移動から垂直移動に変わる。
【００４５】
ここでトリガー４１の自由端４１Ａの壁面３１Ａに沿った移動は相対的に下方移動であるが、絶対的にはトリガー４１は回動運動を行い、その先端の軌跡は弧状となる。
【００４６】
このように、指の動きは直線的となり極めて操作が単純であり且つ楽である。
従来のトリガースプレーＸのように、トリガー４１に合わせて同じ様に弧状に動かす必要がない。
指やトリガー４１が濡れている場合にも指とトリガー４１表面との間に滑りは全く生じなく、力の伝達が極めて効率的である。
トリガー４１の回動によりピストン２が押し下げられてシリンダー１１内にある液体は圧縮される。
【００４７】
図６は、トリガー４１を引き込んだ後のトリガースプレーＸの構造を説明する平面図及び側面図である。
圧縮された液体は、ピストン２の中を通りノズル部２１のノズル口２１Ｎから外に噴射される。
【００４８】
液噴射後、トリガー４１から指を放して押圧力を開放すると、シリンダー１１内に装着された蓄圧バルブ機構のスプリングＳの復帰力によりトリガー４１は元の状態に戻ることになる。
この場合、スライダー３の幅がハウジング５の内壁により縮められており、スライダー３が元の位置に戻る際に同様に復帰力として作用する。
【００４９】
この時、ピストン２の上昇によりシリンダー１１内は負圧となり容器Ｙ本体内の液体はチューブを通って吸い上げられてシリンダー１１内に充填される（初期状態と同じ状態）。
【００５０】
次に、本発明のトリガースプレーＸの好ましい使用方法の例を述べる。
本発明のトリガースプレーＸは、使用者側に噴射する場合、例えば化粧液等を顔面に吹き付ける場合に非常に有用である。
まず、トリガースプレーＸのトリガー４１を使用者側に向けた状態で把持する。
具体的には、図７に示すように、ハウジング５の切り欠き部５１から露出しているスライダー３（詳しくは指掛け部）に親指を当て、他の指（人差し指、中指、薬指、小指等）でトリガースプレーＸと容器Ｙとを同時に握る。
【００５１】
この時、トリガースプレーＸと容器Ｙの表面に凹凸が形成されていると指が滑らなく、確実に把持することができる。
ノズルを顔面に向けて位置決めする際にも、ノズル部２１自体が突出してなく、ノズル口２１Ｎを顔面に向けて、親指とひと差し指とを操作して、バランスをとりながら角度を変えると、ノズル部２１の位置が自由に変えられる。
また、トリガースプレーＸが不用意に顔面に当たったとしても、従来のようにノズル部分やトリガー４１が突出していないため、傷付く危険がない。
【００５２】
〔他の実施の形態〕
今まで説明したトリガースプレーＸは蓄圧式のバルブ機構を採用した実施の形態を説明している。
蓄圧式のバルブ機構をシリンダー１１に組み込んだトリガースプレーＸは、トリガー４１の復帰力を蓄圧式のバルブ機構に組み込まれたスプリングの弾発力により得ることができる。
【００５３】
しかし、通常のバルブ機構はスプリングを備えていないため、復帰力として別にスプリングを設けている。
図８は、通常のバルブを組み込んだトリガースプレーＸを示す。
図８（Ａ）は、スライダー３を引き込む前、図８（Ｂ）は、スライダー３を引き込んだ後を示す。
【００５４】
スプリングＳはシリンダー１１とピストン２の間に配設されている。
具体的にはピストン２の鍔部とシリンダー１１の上面にスプリングＳが支持され取り付けられている。
【００５５】
図９は、トリガースプレーＸを備えたスプレー容器Ｙの外形の変形例を示したものである。
（Ａ）は、スタンドタイプ（据え置きタイプ）のもので、スプレー容器Ｙの載置安定性を得るために、正面から見た場合、容器Ｙの下方が拡大状に形成されているスタンドタイプのものである。
【００５６】
（Ｂ）は、携帯タイプのもので、把持安定性を得るために親指以外の指を握る部分が少し窪んでおり、この窪み部（トリガースプレーＸのカバー部と容器Ｙの各々一部で形成）により指等が滑るようなことがない。
【００５７】
（Ｃ）は、携帯タイプのもので、把持安定性を得るために親指以外の指を握る部分を少し突出させており、この突出部（トリガースプレーＸのカバー部と容器Ｙの各々一部で形成）により指等が滑るようなことがない。
【００５８】
これら（Ａ）〜（Ｃ）のどの場合も、スプレー容器Ｙとして殆ど出っ張りのない直方形状である形であるため、上述した実施の形態と同じ効果がある。
【００５９】
以上、本発明を説明してきたが、本発明は実施形態にのみ限定されるものではなく、その本質から逸脱しない範囲で、他の色々な変形例が可能である。
トリガースプレーＸを構成する各部品の形状は、実施の形態に限らず、本発明のトリガースプレーＸの機能を達成できるものである限りその変形は自由に可能である。
【００６０】
例えば、カム機構において、指当て部３１の裏側の壁面３１Ａ（カム面）に対するトリガー４１の自由端４１Ａ（ホロワー）は、その壁面３１Ａにトリガー４１の自由端４１Ａ（ホロワー）が摺接し移動できれば良い。
【００６１】
また、このハウジング５は、シリンダー１１、案内部、スライダー３、トリガー４１、スプリング等を覆うように下方が開口した上方視で矩形の箱状に形成されているが、図に示すように上方視が楕円の箱状に形成しても良い。
その場合は、キャップ６もそれに沿った形状となる。
実施の形態では、スライダー３の突起部３２がベース体１のスリット１５に装着され移動する例で示したが、スライダー３のベース体に対する当接面に底面壁を設けて該底面壁にスリットを形成し、ベース体に設けた突起がそのスリットに嵌る構造としても良く、要はスライダー３がベース体１に沿って移動できる構造であれば採用可能である。またベース体１に突設された係止片１２を容器の口部に螺合により取り付けるようにしても良い。
【図面の簡単な説明】
【００６２】
【図１】図１は、本発明のトリガースプレーの原理を示した模式図である。
【図２】図２は、本発明のトリガースプレーを備えた液体容器全体を示す外観図であり、（Ａ）はキャップを外す前、（Ｂ）はキャップを外した後、をそれぞれ示す。
【図３】図３は、本発明のトリガースプレーの内部構造を説明する図であり、（Ａ）は正面図、（Ｂ）は側面図、（Ｃ）は平面図を示す。
【図４】図４は、スライダーとベース体及びトリガーの取り付け関係を説明する図である。
【図５】図５は、スライダーの指当て部とトリガーの先端との関係を説明する図である。
【図６】図６は、トリガーを引き込んだ後のトリガースプレーの構造を説明する図であり、（Ａ）は正面図、（Ｂ）は側面図、（Ｃ）は平面図を示す
【図７】図７はトリガースプレーを手前に噴射できるようにした掴み方を示す。
【図８】図８は、通常のバルブを組み込んだトリガースプレーＸであり、（Ａ）は、スライダーを引き込む前、（Ｂ）は、スライダーを引き込んだ後を示す。
【図９】図９は、トリガースプレーを備えたスプレー容器の外形の変形例を示す。
【図１０】図１０は、その従来の主なるトリガースプレーの構造を具体的に示した断面図である。
【図１１】図１１は、その従来のトリガースプレーの外観図を示す図である。
【図１２】図１２は、その従来のトリガースプレーの掴み方を示す図である。
【符号の説明】
【００６３】
１…ベース体
１１…シリンダー
１２…係止片
１３…外周壁
１４…平面部
１５…スリット
２…ピストン
２１…ノズル部
２１Ｎ…ノズル口
３…スライダー
３１…指当て部
３１Ａ…壁面
３１Ａ１…レール
３２…突起部
４…トリガー部材
４１…トリガー
４１Ａ…先端（自由端）
４２…支柱部
４３…ヒンジ部
５…ハウジング
５１…切り欠き部
５２…通孔
６…キャップ
Ｖ１…第１バルブ
Ｖ２…第２バルブ
Ｓ…スプリング
Ｘ、Ｘ１…トリガースプレー
Ｙ…容器、スプレー容器、液体容器
【図１】
2008081123.tif 000003
【図２】
2008081123.tif 000004
【図３】
2008081123.tif 000005
【図４】
2008081123.tif 000006
【図５】
2008081123.tif 000007
【図６】
2008081123.tif 000008
【図７】
2008081123.tif 000009
【図８】
2008081123.tif 000010
【図９】
2008081123.tif 000011
【図１０】
2008081123.tif 000012
【図１１】
2008081123.tif 000013
【図１２】
2008081123.tif 000014